(57)【要約】【課題】時計としてのデザイン性を保持しつつ、低消費電力で時刻に関連する情報を文字板内に表示すること。【解決手段】ムーブメントは、指針と、ぜんまいを動力源とし、指針を駆動する駆動部と、指針によって、時刻を表示する文字板と、文字板上の指針が時刻を指示可能な位置に配置される複数の発光素子と、複数の発光素子へ電源を供給する電池とを備える。【選択図】図４
2019086329.tif 000002
【特許請求の範囲】
【請求項１】
指針と、
ぜんまいを動力源とし、前記指針を駆動する駆動部と、
前記指針によって、時刻を表示する文字板と、
前記文字板上の前記指針が前記時刻を指示可能な位置に配置される複数の発光素子と、
複数の前記発光素子へ電源を供給する電池と
を備える、ムーブメント。
【請求項２】
りゅうずが引かれたことを検出する検出部と、
前記検出部が、前記りゅうずが引かれたことを検出した場合に、複数の前記発光素子を点灯させることよって、前記指針によって時刻合わせを行う動作モードである時刻合わせモードへ切り替える情報処理部と
を備える、請求項１に記載のムーブメント。
【請求項３】
前記情報処理部は、前記検出部が、前記りゅうずが引かれたことを検出した場合に、複数の前記発光素子のうち、現在の時刻に対応する発光素子を点灯させる、請求項２に記載のムーブメント。
【請求項４】
前記情報処理部は、複数の前記発光素子のうち、現在の時刻に対応する複数の発光素子の各々を点灯又は点滅させる、請求項３に記載のムーブメント。
【請求項５】
前記情報処理部は、複数の前記発光素子のうち、スケジュール情報に応じて、発光素子を発光させる、請求項２から請求項４のいずれか一項に記載のムーブメント。
【請求項６】
前記情報処理部は、複数の前記発光素子のうち、予定時刻に対応する発光素子を点灯させる、請求項５に記載のムーブメント。
【請求項７】
前記情報処理部は、予定時刻が到来した場合に、点灯している前記発光素子を点滅させる、請求項６に記載のムーブメント。
【請求項８】
前記情報処理部は、ボタンが押された場合に、点灯している前記発光素子を消灯させる、請求項７に記載のムーブメント。
【請求項９】
前記ムーブメントは、時針と、分針とを含み、
複数の前記発光素子の各々は、前記時針の先端による軌跡と、前記分針の先端による軌跡との間に配置される、請求項１から８のいずれか一項に記載のムーブメント。
【請求項１０】
請求項１から請求項９のいずれか一項に記載のムーブメントを備える時計。
【請求項１１】
請求項５から請求項８のいずれか一項に記載のムーブメントを備える時計と、
端末装置と
を備え、
前記端末装置は、
スケジュールアプリと、
前記スケジュールアプリが動作することによって、ユーザの予定情報を含むスケジュール情報を作成する作成部と、
前記作成部が作成した前記スケジュール情報を、前記時計へ送信する送信部と
を備える時計システム。
【発明の詳細な説明】
【技術分野】
【０００１】
本発明は、ムーブメント、時計、及び時計システムに関する。
【背景技術】
【０００２】
ぜんまい駆動の機械式時計が知られている。機械式時計では、指針によって時刻が示されるだけであり、表示領域に表示できる情報は制限される。そこで、指針による時刻表示に加え、情報の表示を行う腕時計が知られている。
腕時計に関して、アナログとデジタルの双方の時刻表示を行う腕時計において、アナログの運針パルスタイミングとデジタルの表示パルスタイミングとを同期制御する技術が知られている（例えば、特許文献１参照）。
また、現在時刻を、少なくとも時計の短針を含む形態で表現する時計部と、開始日時及び終了日時を含むスケジュールデータを記憶する記憶部と、現在時刻を基準とした所定期間のスケジュールデータを抽出し、当該抽出したスケジュールデータを円グラフで表現するスケジュール画像を生成する情報処理部と、スケジュール画像を時計部に重畳させて表示する表示部とを備える時計装置が知られている（例えば、特許文献２参照）。
【先行技術文献】
【特許文献】
【０００３】
【特許文献１】特開２００６−２６６９９７号公報
【特許文献２】特開２０１５−１１８０３３号公報
【発明の概要】
【発明が解決しようとする課題】
【０００４】
時計に、スケジュール画像を表示する処理を行う機能や、アナログの運針パルスタイミングとデジタルの表示パルスタイミングとを同期制御する機能などを付加した場合、一次電池や二次電池の容量がなくなると、その時計は、時間を把握する機能を失う場合がある。
また、文字板がＬＣＤ(Liquid Crystal Display)などによって構成されている場合には、その文字板に時刻に関連する情報を表示すると、電力を消費する。
仮に、アナログ時計に、ＬＣＤを組み合わせた場合、アナログ時計の文字板を使用することができず、文字板のデザインに制限が生じ、時計としてのデザイン性が低下する場合がある。
【０００５】
本発明は、このような事情に考慮してなされたもので、その目的は、時計としてのデザイン性を保持しつつ、低消費電力で時刻に関連する情報を文字板内に表示することができるムーブメント、時計、及び時計システムを提供することである。
【課題を解決するための手段】
【０００６】
（１）上述の課題に鑑み、本発明の一態様に係るムーブメントは、指針と、ぜんまいを動力源とし、前記指針を駆動する駆動部と、前記指針によって、時刻を表示する文字板と、前記文字板上の前記指針が前記時刻を指示可能な位置に配置される複数の発光素子と、複数の前記発光素子へ電源を供給する電池とを備える。
【０００７】
（２）本発明の一態様に係るムーブメントにおいて、りゅうずが引かれたことを検出する検出部と、前記検出部が、前記りゅうずが引かれたことを検出した場合に、複数の前記発光素子を点灯させることよって、前記指針によって時刻合わせを行う動作モードである時刻合わせモードへ切り替える情報処理部とを備えるようにしてもよい。
【０００８】
（３）本発明の一態様に係るムーブメントにおいて、前記情報処理部は、前記検出部が、前記りゅうずが引かれたことを検出した場合に、複数の前記発光素子のうち、現在の時刻に対応する発光素子を点灯させるようにしてもよい。
【０００９】
（４）本発明の一態様に係るムーブメントにおいて、前記情報処理部は、複数の前記発光素子のうち、現在の時刻に対応する複数の発光素子の各々を点灯又は点滅させる。
【００１０】
（５）本発明の一態様に係るムーブメントにおいて、前記情報処理部は、複数の前記発光素子のうち、スケジュール情報に応じて、発光素子を発光させるようにしてもよい。
【００１１】
（６）本発明の一態様に係るムーブメントにおいて、前記情報処理部は、複数の前記発光素子のうち、予定時刻に対応する発光素子を点灯させるようにしてもよい。
【００１２】
（７）本発明の一態様に係るムーブメントにおいて、前記情報処理部は、予定時刻が到来した場合に、点灯している前記発光素子を点滅させるようにしてもよい。
【００１３】
（８）本発明の一態様に係るムーブメントにおいて、前記情報処理部は、ボタンが押された場合に、点灯している前記発光素子を消灯させるようにしてもよい。
【００１４】
（９）本発明の一態様に係るムーブメントにおいて、前記ムーブメントは、時針と、分針とを含み、複数の前記発光素子の各々は、前記時針の先端による軌跡と、前記分針の先端による軌跡との間に配置されるようにしてもよい。
【００１５】
（１０）本発明の一態様に係る時計は、上記（１）から上記（９）のいずれか一項に記載のムーブメントを備える。
【００１６】
（１１）本発明の一態様に係る時計システムは、上記（５）から上記（８）のいずれか一項に記載のムーブメントを備える時計と、端末装置とを備え、前記端末装置は、スケジュールアプリと、前記スケジュールアプリが動作することによって、ユーザの予定情報を含むスケジュール情報を作成する作成部と、前記作成部が作成した前記スケジュール情報を、前記時計へ送信する送信部とを備える。ここで、送信部は、近距離無線通信を行うことによって、スケジュール情報を、時計へ送信する。
【発明の効果】
【００１７】
本発明によれば、時計としてのデザイン性を保持しつつ、低消費電力で時刻に関連する情報を文字板内に表示することができる。
【図面の簡単な説明】
【００１８】
【図１】本発明の実施形態の時計システムの一例を示す図である。
【図２】本発明の実施形態の時計の一例を示すブロック図である。
【図３】本発明の実施形態の端末装置の一例を示すブロック図である。
【図４】本発明の実施形態の時計の一例を示す外観図である。
【図５】本発明の実施形態の時計のスケジュール管理の動作の一例（その１）を示す図である。
【図６】本発明の実施形態の時計のスケジュール管理の動作の一例（その２）を示す図である。
【図７】本発明の実施形態の時計のスケジュール管理の動作の一例（その３）を示す図である。
【図８】本発明の実施形態の時計のスケジュール管理の動作の一例（その４）を示す図である。
【図９】本発明の実施形態の時計のスケジュール管理の動作の一例（その５）を示す図である。
【図１０】本発明の実施形態の時計のスケジュール管理の動作の一例（その６）を示す図である。
【図１１】本発明の実施形態の時計の時刻合わせの動作の一例（その１）を示す図である。
【図１２】本発明の実施形態の時計の時刻合わせの動作の一例（その２）を示す図である。
【図１３】本発明の実施形態の時計の時刻合わせの動作の一例（その３）を示す図である。
【図１４】本発明の実施形態の時計の時刻合わせの動作の一例（その４）を示す図である。
【図１５】本発明の実施形態の時計の時刻合わせの動作の一例（その５）を示す図である。
【図１６】本発明の実施形態の時計の時刻合わせの動作の一例（その６）を示す図である。
【発明を実施するための形態】
【００１９】
次に、本実施形態のムーブメント、時計、及び時計システムを、図面を参照しつつ説明する。以下で説明する実施形態は一例に過ぎず、本発明が適用される実施形態は、以下の実施形態に限られない。
また、本願でいう「ＸＸに基づく」とは、「少なくともＸＸに基づく」ことを意味し、ＸＸに加えて別の要素に基づく場合も含む。また、「ＸＸに基づく」とは、ＸＸを直接に用いる場合に限定されず、ＸＸに対して演算や加工が行われたものに基づく場合も含む。「ＸＸ」は、任意の要素（例えば、任意の情報）である。
【００２０】
（実施形態）
以下、本発明に係る実施形態について図面を参照して説明する。なお、本実施形態では、時計の一例としてスマートフォン等の外部デバイスとの間で通信可能で、且つぜんまい駆動の機械式時計と電池駆動のクオーツ時計とを組み合わせた時計を例に挙げて説明する。また、各図面において、各部品を視認可能な大きさとなるために、必要に応じて各部品の縮尺を適宜変更している。さらに、同一又は類似の機能を有する構成には、同一の符号を付し、その構成に関して重複する説明は省略する場合がある。
【００２１】
（時計システムの概要）
図１は、本発明の実施形態の時計システムの一例を示す図である。
時計システムは、時計１００と、端末装置２００と、時刻サーバ３００とを備える。
時計１００の一例は、ぜんまい駆動の機械式時計と、電池駆動のクオーツ時計とを組み合わせて構成される腕時計である。以下、時計１００が腕時計である場合について、説明を続ける。そして、機械式時計、およびクオーツ時計の各々が動力を有する。そして、機械式時計、およびクオーツ時計の各々に対して、独立して、時刻を合わせることが可能である。
さらに、時計１００は、ブルートゥース（登録商標）(Bluetooth)、Ｗｉ−Ｆｉ（登録商標）、ＩｒＤＡ(Infrared Data Association）、ＴｒａｎｓｆｅｒＪｅｔ（登録商標）、ＺｉｇＢｅｅ（登録商標）などの近距離無線通信の規格にしたがって通信を行う近距離無線通信モジュールを備える。以下、近距離無線通信の一例として、ブルートゥースを適用した場合について説明を続ける。
時計１００は、端末装置２００と近距離無線通信を行うことによって、端末装置２００が送信した時刻情報を取得する。時計１００は、取得した時刻情報に基づいて、クオーツ時計の時刻を合わせる。
【００２２】
端末装置２００は、携帯電話、スマートフォン、タブレット端末などによって実現される。端末装置２００は、インターネットなどのネットワーク５０を介して、時刻サーバ３００と接続可能である。端末装置２００は、時刻サーバ３００へアクセスし、時刻サーバ３００から時刻情報を取得する。
また、端末装置２００には、スケジュールアプリがインストールされている。ユーザは、端末装置２００を操作することによって、スケジュールアプリを起動する。スケジュールアプリが起動することによって、端末装置２００は、ユーザのスケジュールを管理する。
また、端末装置２００は、ブルートゥース（登録商標）(Bluetooth)、Ｗｉ−Ｆｉ（登録商標）、ＩｒＤＡ(Infrared Data Association）、ＴｒａｎｓｆｅｒＪｅｔ（登録商標）、ＺｉｇＢｅｅ（登録商標）などの近距離無線通信の規格にしたがって通信を行う近距離無線通信モジュールを備える。以下、近距離無線通信の一例として、ブルートゥースを適用した場合について説明を続ける。端末装置２００は、時計１００との間で、近距離無線通信を行う。端末装置２００は、時計１００へ、時刻情報と、スケジュール情報とを送信する。ここで、時刻情報は、時刻サーバ３００から取得した時刻情報であってもよいし、端末装置２００が有している時刻情報であってもよい。
時計１００は、端末装置２００が送信した時刻情報と、スケジュール情報とを受信する。
時計１００は、端末装置２００が送信した時刻情報取得し、取得した時刻情報に基づいて、クオーツ時計の時刻を合わせる。また、時計１００は、取得した時刻情報に基づいて、機械式時計の時刻を合わせるための時刻表示を行う。また、時計１００は、受信したスケジュール情報に基づいて、スケジュールを表示する。
時刻サーバ３００は、例えば、日本標準時を管理しているサーバである。時刻サーバ３００は、端末装置２００が送信した時刻要求を受信し、受信した時刻要求に応じて、時刻情報を端末装置２００へ送信する。
【００２３】
（時計）
図２は、本発明の実施形態の時計の一例を示すブロック図である。
時計１００は、メカモジュール１０２と、デジタル基板１１２と、ソーラーパネル１３０と、電源回路１３２と、電池１３４とを備える。
メカモジュール１０２は、機械式時計を構成する。メカモジュール１０２は、時針、分針、秒針１０４と、ぜんまい１０６と、回転錘１０８と、りゅうず１１０とを備える。
時針、分針、秒針１０４は、時針、分針、秒針などの指針を示す。ぜんまい１０６は、メカモジュール１０２の動力源であり、メカモジュール１０２を駆動させる。回転錘１０８は、自動巻きムーブメントが備えているディスク上の錘である。回転錘１０８は、両方向に自由に回転し、ぜんまい１０６を巻き上げる。りゅうず１１０は、巻上げ機構の一部である。りゅうず１１０が回転することによって、時計１００のぜんまい１０６が巻き上げられる。
【００２４】
デジタル基板１１２は、クオーツ時計を構成する。デジタル基板１１２は、記憶部１１４と、近距離無線通信部１２０と、検出部１２２と、情報処理部１２４と、ボタン１２６と、ＬＥＤ１２８とを備える。
近距離無線通信部１２０は、近距離無線通信モジュールによって実現される。近距離無線通信部１２０は、端末装置２００などの他の装置と通信を行う。
具体的には、近距離無線通信部１２０は、端末装置２００との間でペアリングを行うために使用する認証情報を保持している。近距離無線通信部１２０は、端末装置２００が送信した送信要求を受信し、受信した送信要求を、情報処理部１２４へ出力する。情報処理部１２４は、近距離無線通信部１２０が出力した送信要求に含まれる認証情報に基づいて、その認証情報が、保持している認証情報と一致するか否かを判定する。情報処理部１２４は、一致する場合には認証が成功したと判定し、一致しない場合には認証が失敗したと判定する。認証が成功した場合、情報処理部１２４と、端末装置２００との間で通信リンクが確立される。近距離無線通信部１２０は、端末装置２００との通信リンクが確立した後に、端末装置２００が送信した時刻情報と、スケジュール情報とを受信し、受信した時刻情報と、スケジュール情報とを情報処理部１２４へ出力する。
【００２５】
記憶部１１４は、例えば、ＲＡＭ（Random Access Memory）、ＲＯＭ（Read Only Memory）、フラッシュメモリ、またはこれらのうち複数が組み合わされたハイブリッド型記憶装置などにより実現される。記憶部１１４には、情報処理部１２４により実行されるプログラム１１５と、予定保持部１１６と、時刻保持部１１８とが記憶される。予定保持部１１６は、端末装置２００が送信したスケジュール情報に含まれる予定情報を保持する。ここで、予定情報は、予定がある日と時刻とを含む。時刻保持部１１８は、端末装置２００が送信した時刻情報を保持する。
【００２６】
検出部１２２は、りゅうず１１０が引き出されたことを検出した場合に、りゅうず１１０が引き出されたことを示す情報を、情報処理部１２４へ出力する。検出部１２２は、ボタン１２６が押されたことを検出した場合に、ボタン１２６が押されたことを示す情報を、情報処理部１２４へ出力する。
ボタン１２６は、スタートボタンと、ストップボタンとを含む。ボタン１２６が押されることによって、時計１００の情報処理部１２４は、その時計１００の機能を実行する。
ＬＥＤ１２８は、複数の発光素子を含む。複数の発光素子の各々は、情報処理部１２４による制御によって、点灯したり、点滅したりする。
【００２７】
情報処理部１２４の全部または一部は、例えば、ＣＰＵ（Central Processing Unit）などのプロセッサが記憶部１１４に格納されたプログラム１１５を実行することにより実現される機能部（以下、ソフトウェア機能部と称する）である。なお、情報処理部１２４の全部または一部は、ＬＳＩ（Large Scale Integration）、ＡＳＩＣ（Application Specific Integrated Circuit）、またはＦＰＧＡ（Field-Programmable Gate Array）などのハードウェアにより実現されてもよく、ソフトウェア機能部とハードウェアとの組み合わせによって実現されてもよい。
情報処理部１２４は、近距離無線通信部１２０が出力した時刻情報を取得し、取得した時刻情報に基づいて、クオーツ時計の時刻合わせを行う。
情報処理部１２４は、近距離無線通信部１２０が出力したスケジュール情報を取得し、取得したスケジュール情報に基づいて、ＬＥＤ１２８に含まれる複数の発光素子のうち、該当する発光素子を点灯又は点滅させる。
また、情報処理部１２４は、検出部１２２が出力したりゅうず１１０が引き出されたことを示す情報を取得した場合に、時刻合わせモードへ移行する。情報処理部１２４は、時刻合わせモードへ移行した場合に、複数の発光素子を点灯させることによって、機械式時計の時針、分針、秒針１０４によって時刻合わせを行うことを可能にする。
ソーラーパネル１３０は、光エネルギーを電気エネルギーへ変換する。ソーラーパネル１３０が受けた光の一部は、太陽電池ユニットで、電気エネルギーへ変換される。電気エネルギーは、二次電池に蓄えられる。電源回路１３２は、電池１３４や、二次電池からの電力から必要とされる電力を生成する。電池１３４は、電力が蓄えられる。
【００２８】
（端末装置）
図３は、本発明の実施形態の端末装置の一例を示すブロック図である。
端末装置２００は、通信部２１０と、記憶部２２０と、情報処理部２３０と、操作部２４０と、表示部２６０と、近距離無線通信部２７０と、前記各構成要素を図３に示されているように電気的に接続するためのアドレスバスやデータバス等のバスライン２５０とを備える。
通信部２１０は、通信モジュールによって実現される。通信部２１０は、ネットワーク５０を経由して、時刻サーバ３００などの他の装置と通信を行う。通信部２１０は、時刻サーバ３００へ、情報処理部２３０が出力した時刻要求を送信する。また、通信部２１０は、時刻要求に対する応答として、時刻サーバ３００が送信した時刻情報を受信し、受信した時刻情報を、情報処理部２３０へ出力する。
【００２９】
近距離無線通信部２７０は、近距離無線通信モジュールによって実現される。近距離無線通信部２７０は、時計１００などの他の装置と近距離無線通信を行う。近距離無線通信部２７０は、情報処理部２３０が出力した時刻情報を取得し、取得した時刻情報を、時計１００へ送信する。近距離無線通信部２７０は、情報処理部２３０が出力した送信要求を取得し、取得した送信要求を、時計１００へ送信する。また、近距離無線通信部２７０は、情報処理部２３０が出力したスケジュール情報を取得し、取得したスケジュール情報を、時計１００へ送信する。
具体的には、近距離無線通信部２７０は、近距離無線通信部１２０との間でペアリングを行うために使用する認証情報を保持している。ユーザが、操作部２４０を操作することによって、時刻情報を送信する操作や、スケジュール情報を送信する操作を行った場合、処理部２３２は、端末装置２００の識別情報と、認証情報とを含む送信要求を作成し、作成した送信要求を、近距離無線通信部２７０へ出力する。
記憶部２２０は、例えば、ＲＡＭ、ＲＯＭ、ＨＤＤ、フラッシュメモリ、またはこれらのうち複数が組み合わされたハイブリッド型記憶装置などにより実現される。記憶部２２０には、情報処理部２３０により実行されるプログラム２２２と、アプリ２２４とが記憶される。アプリ２２４の一例は、スケジュールアプリである。本実施形態では、アプリ２２４がスケジュールアプリである場合について説明を続ける。
操作部２４０は、例えば、タッチパネルなどによって構成され、表示部２６０に表示される画面に対するタッチ操作を検出し、タッチ操作の検出結果を、情報処理部２３０へ出力する。タッチ操作には、時刻情報を取得する操作、時刻情報を送信する操作、スケジュール情報を入力する操作、スケジュール情報を送信する操作などが含まれる。
【００３０】
情報処理部２３０の全部または一部は、例えば、ＣＰＵなどのプロセッサが記憶部２２０に格納されたプログラム２２２や、アプリ２２４を実行することにより実現されるソフトウェア機能部である。なお、情報処理部２３０の全部または一部は、ＬＳＩ、ＡＳＩＣ、またはＦＰＧＡなどのハードウェアにより実現されてもよく、ソフトウェア機能部とハードウェアとの組み合わせによって実現されてもよい。
情報処理部２３０は、例えば、処理部２３２と、作成部２３４とを備える。
【００３１】
処理部２３２は、ユーザが操作部２４０に対して時刻情報を取得する操作を行った場合に、時刻要求を作成する指示を、作成部２３４へ出力する。
また、処理部２３２は、ユーザが操作部２４０に対してアプリ２２４を起動させる操作を行った場合に、アプリ２２４を起動させる。処理部２３２は、アプリ２２４が起動した後に、ユーザが、時計１００へ、スケジュール情報を送信する操作を行った場合に、スケジュール情報を作成する指示を、作成部２３４へ出力する。
作成部２３４は、処理部２３２が出力した時刻要求を作成する指示を取得した場合に、時刻要求を作成し、作成した時刻要求を、通信部２１０へ出力する。また、作成部２３４は、作成部２３４が出力したスケジュール情報を作成する指示を取得した場合に、スケジュール情報を作成し、作成したスケジュール情報を、近距離無線通信部２７０へ出力する。
表示部２６０は、時刻情報を取得する操作を行う画面、スケジュール情報を送信する操作を行う画面などを表示する。
【００３２】
（時計の基本構成）
一般に、時計の駆動部分を含む機械体を「ムーブメント」と称する。このムーブメントに文字板、指針を取り付けて、時計ケースの中に入れて完成品にした状態を時計の「コンプリート」と称する。時計の基板を構成する地板に対して、時計ケースのガラス側（すなわち、文字板側）をムーブメントの「裏側」と称する。また、地板に対する時計ケースのケース裏蓋側（すなわち、文字板とは反対側）をムーブメントの「表側」と称する。
なお、本実施形態では、文字板からケース裏蓋に向かう方向を上方、その反対側を下方と定義して説明する。
【００３３】
図４は、本発明の実施形態の時計の一例を示す外観図である。
図４に示すように、本実施形態の時計１００のコンプリートは、図示しないケース裏蓋及びガラス１５８を有する時計ケース１５６内に、ムーブメント１６０、及び文字板１５４、時針、分針、秒針１０４（時針１０４ａ、分針１０４ｂ及び秒針１０４ｃ）を備えている。文字板１５４及び時針、分針、秒針１０４は、ガラス１５８を通じて視認可能に配置されている。
【００３４】
図示の例では、時針、分針、秒針１０４は回転軸線Ｏ回りに回転する。本実施形態では、回転軸線Ｏを中心としてガラス１５８側から見て時計回りに回転する方向を時計方向といい、上方から見て反時計回りに回転する方向を反時計方向という。
【００３５】
文字板１５４は円板状に形成され、時刻を表示する主表示領域１５２を備えている。
主表示領域１５２には、時針、分針、秒針１０４によって指示される時刻用目盛り１５０が文字板１５４の外周縁に沿って設けられている。
さらに、主表示領域１５２には、ＬＥＤ(light emitting diode)などの発光素子１２８（１２８−１〜１２８−２４）が、１２の倍数の数（図４に示される例では、２４個）設けられている。本実施形態では、複数の発光素子１２８の各々は、ガラス１５８側から見た場合に、時針１０４ａの先端による軌跡と、分針１０４ｂの先端による軌跡との間に、配置される。さらに、隣り合う発光素子と回転軸線Ｏとのなす角度は、１５度である。発光素子１２８−１〜１２８−２４の各々の位置は、時針、分針、秒針１０４によって示される時刻と関連付けられている。
時計ケース１５６の側面には、例えば時刻修正を行うためのりゅうず１１０、時計１００が実行するモード切換等を行うための各種のボタン１２６（スタートボタン１２６−１、ストップボタン１２６−２）が設けられている。
【００３６】
（ムーブメント）
ムーブメント１６０は、文字板１５４と図示しないケース裏蓋との間に配置されている。ムーブメント１６０は、時針、分針、秒針１０４が取り付けられるメカモジュール１０２と、メカモジュール１０２の上側に配置され、クオーツ時計を構成するデジタル基板１１２と、デジタル基板１１２の上側に配置されるソーラーパネル１３０及び電池１３４と、を少なくとも備えている。
【００３７】
メカモジュール１０２、デジタル基板１１２、ソーラーパネル１３０及び電池１３４は、互いに仮固定された状態で組み合わされ、最終的に、メカモジュール１０２に形成された固定用ボス（図示なし）に固定ねじ（図示なし）が取り付けられることで一体的に固定される。このように、ムーブメント１６０は、固定ねじによる取り付けによってメカモジュール１０２、デジタル基板１１２、ソーラーパネル１３０及び電池１３４が一体に固定化されたユニット体とされている。
【００３８】
（時計の動作）
前述したように構成された時計１００の動作について説明する。前述したように、時計１００はムーブメント１６０を備え、ムーブメント１６０は、メカモジュール１０２とデジタル基板１１２とを備える。
図５は、本発明の実施形態の時計のスケジュール管理の動作の一例（その１）を示す図である。
（ステップＳ１０）  時計１００の近距離無線通信部１２０は、端末装置２００が送信したスケジュール情報を受信し、受信したスケジュール情報を、情報処理部１２４へ出力する。
情報処理部１２４は、近距離無線通信部１２０が出力したスケジュール情報を取得し、取得したスケジュール情報に含まれる予定情報を取得する。情報処理部１２４は、取得した予定情報に基づいて、ＬＥＤ１２８に含まれる複数の発光素子のうち、予定情報に含まれる予定時刻に関連付けられている位置の発光素子を発光させる。
具体的には、情報処理部１２４は、スケジュール情報に、１０時から１１時に予定があることを示す予定時刻と、１１時から１１時半に予定があることを示す予定時刻とが含まれる場合に、以下の処理を行う。情報処理部１２４は、図５の左図に示すように、１０時から１１時の位置に対応する発光素子１２８−２０から発光素子１２８−２２を点灯させるとともに、１１時から１１時半の位置に対応する発光素子１２８−２２から発光素子１２８−２３を点灯させる。このように構成することによって、時計１００のユーザに、予定があることを通知できる。
【００３９】
（ステップＳ１１）  予定時刻、ここでは、１０時が到来する。
（ステップＳ１２）  情報処理部１２４は、その予定時刻に対応する発光素子を点滅させる。具体的には、図５の左図に示す状態で、１０時が到来した場合に、図５の右図に示すように、１０時から１１時に対応する発光素子１２８−２０から発光素子１２８−２２を点滅させる。このように構成することによって、時計１００のユーザに、予定時刻が到来したことを通知できる。
【００４０】
図６は、本発明の実施形態の時計のスケジュール管理の動作の一例（その２）を示す図である。図７は、本発明の実施形態の時計のスケジュール管理の動作の一例（その３）を示す図である。
ステップＳ２０は、前述したステップＳ１０を適用できる。
（ステップＳ２１）  予定時刻、ここでは、１０時が到来する。
（ステップＳ２２）  情報処理部１２４は、予定時刻が到来した場合に、その予定時刻に対応する発光素子が複数ある場合に、その複数の発光素子を順番に点灯させたり、点灯と消灯とを繰り返えさせたりする。具体的には、情報処理部１２４は、図６の左図に示す状態で１０時が到来した場合に、図６の右図に示すように、１０時から１１時に対応する発光素子１２８−２０から発光素子１２８−２２を点灯させる。
また、情報処理部１２４は、図６の左図に示す状態で１０時が到来した場合に、図７の（ａ）に示すように、１０時から１１時に対応する発光素子１２８−２０から発光素子１２８−２２を、発光素子１２８−２０の点灯、発光素子１２８−２０から発光素子１２８−２１の点灯、発光素子１２８−２０から発光素子１２８−２２の点灯、発光素子１２８−２０の点灯、・・・、の順序で繰り返す。
また、情報処理部１２４は、図６の左図に示す状態で１０時が到来した場合に、図７の（ｂ）に示すように、１０時から１１時に対応する発光素子１２８−２０から発光素子１２８−２２を、発光素子１２８−２０から発光素子１２８−２２の点灯、発光素子１２８−２０から発光素子１２８−２２の消灯、発光素子１２８−２０から発光素子１２８−２２の点灯、・・・、の順序で繰り返す。このように構成することによって、時計１００のユーザに、予定時刻が到来したことを通知できる。
【００４１】
図８は、本発明の実施形態の時計のスケジュール管理の動作の一例（その４）を示す図である。
ステップＳ３０は、前述したステップＳ１０を適用できる。
（ステップＳ３１）  予定時刻、ここでは、１０時が到来する。
（ステップＳ３２）  情報処理部１２４は、予定時刻が到来した場合に、その予定時刻に対応する発光素子を点滅させる。具体的には、情報処理部１２４は、予定時刻である１０時が到来した場合に、１０時から１１時に対応する発光素子１２８−２０から発光素子１２８−２２を点滅させる。
（ステップＳ３３）  ユーザが、ボタン１２６を押すなどのボタン操作を行う。
（ステップＳ３４）  情報処理部１２４は、ユーザが、ボタン１２６を押した場合に、点滅させている発光素子を消灯させる。具体的には、検出部１２２は、ユーザが、ボタン１２６を押したことを検出した場合、ボタン１２６が押されたことを示す情報を情報処理部１２４へ出力する。情報処理部１２４は、検出部１２２が出力したボタン１２６が押されたことを示す情報を取得した場合、点滅させている発光素子１２８−２０から発光素子１２８−２２を消灯させる。
ただし、情報処理部１２４は、ボタン１２６が押されたことを示す情報を取得しないまま予定時刻が経過してしまった場合には、点滅させている発光素子１２８−２０から発光素子１２８−２２を消灯させる。このように構成することによって、ユーザに予定時刻が到来したことを確実に通知できる。さらに、ユーザが気づかないまま予定時刻が経過した場合に、余計な発光が継続され続けることによって、電力が消費されるのを防止できる。
【００４２】
図９は、本発明の実施形態の時計のスケジュール管理の動作の一例（その５）を示す図である。
（ステップＳ４０）  情報処理部１２４は、スケジュール情報に含まれる予定情報のうち、１１時間先までの予定時刻に対応する発光素子を点灯させる。具体的には、情報処理部１２４は、１０時から１１時に予定があることを示す予定時刻と、１１時から１３時に予定があることを示す予定時刻と、１６時半から１８時に予定があることを示す予定時刻と、１９時から２０時に予定があることを示す予定時刻と、２０時から２１時に予定があることを示す予定時刻とを含むスケジュール情報を取得し、現在の時刻が９時９分の場合に以下の処理を行う。
情報処理部１２４は、予定時刻が１１時間先までである１０時から１１時に対応する発光素子１２８−２０から発光素子１２８−２２と、１１時から１３時に対応する発光素子１２８−２２から発光素子１２８−２と、１６時半から１８時に対応する発光素子１２８−９から発光素子１２８−１２と、１９時から２０時に対応する発光素子１２８−１４から発光素子１２８−１６とを点灯させる。
（ステップＳ４１）  予定時刻、ここでは、１０時が到来する。
（ステップＳ４２）  情報処理部１２４は、予定時刻の一つである１０時が到来した場合に、その予定時刻に対応する発光素子を点滅させる。具体的には、情報処理部１２４は、予定時刻の一つである１０時に到達した場合に、１０時から１１時に対応する発光素子１２８−２０から発光素子１２８−２２を点滅させる。
【００４３】
（ステップＳ４３）  情報処理部１２４は、１１時間先の予定時刻に対応する発光素子を点灯させる。具体的には、情報処理部１２４は、予定時刻が１１時間先までである２０時から２１時に対応する発光素子１２８−１６から発光素子１２８−１８を点灯させる。
（ステップＳ４４）  ユーザが、ボタン１２６を押すなどのボタン操作を行う。
（ステップＳ４５）  情報処理部１２４は、ユーザが、ボタン１２６を押した場合に、点滅させている発光素子を消灯させる。具体的には、検出部１２２は、ユーザが、ボタン１２６を押したことを検出した場合、ボタン１２６が押されたことを示す情報を情報処理部１２４へ出力する。情報処理部１２４は、検出部１２２が出力したボタン１２６が押されたことを示す情報取得した場合、点滅させている発光素子１２８−２０から発光素子１２８−２２を消灯させる。
ただし、情報処理部１２４は、ボタン１２６の操作がないまま、予定時刻が経過してしまった場合には、点滅させている発光素子１２８−２０から発光素子１２８−２２を消灯させる。
このように構成すことによって、スケジュール情報に基づいて、表示できる予定時刻の範囲を最大化できる。仮に、予定時刻が１２時間先までとした場合には、現在の時刻に予定があった場合に、現在の時刻の予定であるのか、１２時間先の予定であるのかが判断が難しいが、予定時刻が１１時間先までとすることによって、予定を把握しやすくできる。
【００４４】
図１０は、本発明の実施形態の時計のスケジュール管理の動作の一例（その６）を示す図である。
図１０は、予定時刻が到来するまでの時間を発光素子によって、視覚的に見やすくしたものである。発光素子１２８−１から発光素子１２８−２４によって、一時間を表す。情報処理部１２４は、予定時刻までの残りの時間に応じて、発光素子１２８−２４から順に、反時計まわりに消灯する。図１０は、予定時刻が１１時である場合に、点灯させた発光素子を消灯させることによってカウントダウンを表示する例を示す。
図１０において、左端の図は、１０時における発光素子１２８の点灯例を示す。予定時刻までの残りの時間が一時間であるため、発光素子１２８−１から発光素子１２８−２４までの２４個の全ての発光素子が点灯している。
図１０において、真ん中の図は、１０時１０分における発光素子１２８の点灯例を示す。予定時刻までの残りの時間が５０分であるため、発光素子１２８−１から発光素子１２８−１９までの１９個の発光素子が点灯している。
図１０において、右端の図は、１０時２０分における発光素子１２８の点灯例を示す。予定時刻までの残りの時間が３９分であるため、発光素子１２８−１から発光素子１２８−１５までの１５個の発光素子が点灯している。このように構成することによって、予定時刻が到来する一時間前から、点灯した発光素子１２８−２４から発光素子１２８−１を順次消灯させることによって、予定時刻までの残りの時間が示されるため、ユーザに予定時刻までの残りの時間を視覚的に把握させることができる。
【００４５】
図１１は、本発明の実施形態の時計の時刻合わせの動作の一例（その１）を示す図である。
デジタル基板１１２では、近距離無線通信部１２０は、端末装置２００が送信した時刻情報を取得し、取得した時刻情報を情報処理部１２４へ出力する。情報処理部１２４は、近距離無線通信部１２０が出力した時刻情報を取得し、取得した時刻情報に基づいて、現在の時刻を修正する。
図１１は、ユーザによってりゅうず１１０が引き出された場合に、時計１００が、時刻合わせモードへ切り替えられる例を示す。ここで、時刻合わせモードとは、デジタル基板１１２が保持している時刻情報に、メカモジュール１０２の時刻を合わせることをいう。時刻合わせモードでは、発光素子１２８−１から発光素子１２８−２４の各々によって、現在の時刻がガイドされる。このように構成することによって、ユーザは、機械式時計の時刻を合わせることが可能になる。
検出部１２２は、りゅうず１１０が引き出されたことを検出した場合に、りゅうず１１０が引き出されたことを示す情報を、情報処理部１２４へ出力する。情報処理部１２４は、検出部１２２が出力したりゅうず１１０が引き出されたことを示す情報を取得した場合に、時刻情報に基づいて、その時刻情報を示す時針の位置に該当する発光素子と、分針の位置に該当する発光素子とを点灯させる。図１０に示される例では、１０時に対応する発光素子１２８−２０から発光素子１２８-２２と、７分に対応する発光素子１２８−３とが点灯している。このように構成することによって、デジタル基板１１２が保持している時刻に、メカモジュール１０２の時刻を手軽に合わせることができる。
【００４６】
図１２は、実施形態の時計の時刻合わせ動作の一例（その２）を示す図である。図１２において、（ａ）は時針１０４ａの位置のガイドの一例であり、（ｂ）は分針１０４ｂの位置のガイドの一例であり、（ｃ）は時針１０４ａと分針１０４ｂとの位置のガイドの一例である。
図１１の（ａ）に示されるように、情報処理部１２４は、発光素子１２８−２１を点灯させることによって、１０時であることをガイドする。このように構成することによって、ユーザに対して、時針１０４ａの位置をガイドすることができる。
図１１の（ｂ）に示されるように、情報処理部１２４は、発光素子１２８−４を点灯させることによって、１０分であることをガイドする。このように構成することによって、ユーザに対して、分針１０４ｂの位置をガイドすることができる。
図１１の（ｃ）に示されるように、情報処理部１２４は、発光素子１２８−２０から発光素子１２８−２２を点灯させることによって、１０時であることをガイドするとともに、発光素子１２８−４を点滅させることによって、１０分であることをガイドする。このように構成することによって、ユーザに対して、時針１０４ａと分針１０４ｂとの位置を同時にガイドすることができる。この場合、情報処理部１２４は、発光素子１２８−２０から発光素子１２８−２２を点灯させるとともに、発光素子１２８−４を点滅させることによって、ガイドを異ならせる。これによって、時針１０４ａの位置のガイドと、分針１０４ｂの位置のガイドとを、ユーザに、容易に識別させることができる。
【００４７】
図１３は、本発明の実施形態の時計の時刻合わせの動作の一例（その３）を示す図である。
図１３は、図１２において、ユーザがボタン１２６を押すことによって、時針１０４ａの位置のガイドと、分針１０４ｂの位置のガイドとを切り替えるようにしたものである。このように構成することによって、ユーザに対して、時刻合わせのガイドにおいて、時針１０４ａの位置と、分針１０４ｂの位置とを容易に識別させることができる。
【００４８】
図１４は、本発明の実施形態の時計の時刻合わせの動作の一例（その４）を示す図である。図１５は、本発明の実施形態の時計の時刻合わせの動作の一例（その５）を示す図である。
図１４に示される例では、分針１０４ｂの位置を２４個の発光素子１２８で高精度に示すために、発光素子１２８の位置と、発光素子１２８間の位置で、分針の位置を表現する。
図１４の（ａ）に示されるように、発光素子１２８−２４を点滅させることによって、５９分３６秒から０分２５秒を示す。
図１４の（ｂ）に示されるように、発光素子１２８−２４を点滅させるとともに、発光素子１２８−１を点灯させることによって、０分２６秒から１分１５秒を示す。
図１４の（ｃ）に示されるように、発光素子１２８−２４を点灯させるとともに、発光素子１２８−１を点滅させることによって、１分１６秒から２分５秒を示す。
図１５の（ａ）に示されるように、発光素子１２８−１を点滅させることによって、２分６秒から２分５５秒を示す。
図１５の（ｂ）に示されるように、発光素子１２８−１を点滅させるとともに、発光素子１２８−２を点灯させることによって、２分５６秒から３分４５秒を示す。
図１５の（ｃ）に示されるように、発光素子１２８−１を点灯させるとともに、発光素子１２８−２を点滅させることによって、３分４６秒から４分３５秒を示す。
以下、同様にして、発光素子１２８の位置と、発光素子１２８間の位置で、分針の位置を表現する。このように構成することによって、５０秒の分解能で、ガイド表示を行うことができるため、より正確に機械式時計の時刻を修正することができる。
【００４９】
図１６は、本発明の実施形態の時計の時刻合わせの動作の一例（その６）を示す図である。
時計１００は、現在時刻の指針の位置をガイドする機能に加え、第二時間帯の時刻の指針の位置をガイドする機能（ＧＭＴ(Greenwich Mean Time)機能）を備えている。
（ステップＳ５０）  情報処理部１２４は、現在時刻の時針、分針、秒針１０４のガイドを表示している。
（ステップＳ５１）  ユーザが、ボタン１２６を押すなどのボタン操作を行う。
（ステップＳ５２）  情報処理部１２４は、現在時刻の時針、分針、秒針１０４のガイドから、ＧＭＴ時刻の時針、分針、秒針１０４のガイドへ切り替える。ここで、情報処理部１２４は、現在時刻の時針、分針、秒針１０４のガイドから、ＧＭＴ時刻の時針、分針、秒針１０４のガイドへ切り替える場合に、発光素子１２８を点滅させる周期を異なるようにしてもよい。このように構成することによって、現在時刻の時針、分針、秒針１０４のガイドに加え、ＧＭＴ時刻の時針、分針、秒針１０４のガイドを可能にできる。
【００５０】
前述した実施形態では、時計１００が、２４個の発光素子を有する場合について説明したが、この限りでない。例えば、時計１００が備える発光素子の数は、１２の倍数である１２個でもよいし、３６個でもよい。これらの場合、隣り合う発光素子と回転軸線Ｏとのなす角度が等しくなるように配置される。
前述した実施形態では、ユーザが、端末装置２００を操作することによって、端末装置２００から時計１００へ、時刻情報や、スケジュール情報を送信する場合について説明したが、この限りでない。例えば、ユーザが、時計１００を操作することによって、端末装置２００から、時刻情報や、スケジュール情報を取得するようにしてもよい。この場合、ユーザが、時計１００を操作することによって、時刻情報を取得する操作や、スケジュール情報を取得する操作を行った場合、時計１００は、時計１００の識別情報と、認証情報とを含む取得要求を作成し、作成した取得要求を、近距離無線通信部１２０へ出力する。近距離無線通信部１２０は、情報処理部１２４が出力した取得要求を、端末装置２００へ送信する。
近距離無線通信部２７０は、時計１００が送信した取得要求を受信し、受信した取得要求を、情報処理部２３０へ出力する。情報処理部２３０は、近距離無線通信部２７０が出力した取得要求に含まれる認証情報に基づいて、その認証情報が、保持している認証情報と一致するか否かを判定する。情報処理部２３０は、一致する場合には認証が成功したと判定し、一致しない場合には認証が失敗したと判定する。認証が成功した場合、情報処理部２３０と、時計１００との間で通信リンクが確立される。
【００５１】
前述した実施形態の時計システムによれば、時計１００のメカモジュール１０２が表示する時計がぜんまい１０６がほどけることによって止まった場合でも、デジタル基板１１２が有する時計は止まらないので、発光素子１２８によって、時刻を表示し続けることができる。
また、時計１００のデジタル基板１１２が電池１３４が切れることなどによって止まった場合でも、メカモジュール１０２が表示する時計は止まらない場合があるので、時刻を表示し続けることができる。
前述した実施形態では、デジタル基板１１２が、端末装置２００が送信した時刻情報を取得し、取得した時刻情報に基づいて、現在の時刻を修正する場合について説明したが、この限りでない。例えば、発光素子１２８を点灯することによって、現在の時刻を表示するようにしてもよい。
【００５２】
以上、本発明の実施形態を説明したが、これらの実施形態は例として提示したものであり、発明の範囲を限定することは意図していない。実施形態は、その他様々な形態で実施されることが可能であり、発明の要旨を逸脱しない範囲で、種々の省略、置き換え、変更を行うことができる。実施形態やその変形例には、例えば当業者が容易に想定できるもの、実質的に同一のもの、均等の範囲のものなどが含まれる。
【符号の説明】
【００５３】
５０…ネットワーク、  １００…時計、  １０２…メカモジュール、  １０４…時針、分針、秒針、  １０４ａ…時針、  １０４ｂ…分針、  １０４ｃ…秒針、  １０６…ぜんまい、  １０８…回転錘、  １１０…りゅうず、  １１２…デジタル基板、  １１４…記憶部、  １１６…予定保持部、  １１８…時刻保持部、  １２０…近距離無線通信部、  １２２…検出部、  １２４…情報処理部、  １２６…ボタン、１２６−１…スタートボタン、１２６−２…ストップボタン、  １２８、１２８−１〜１２８−２４…ＬＥＤ、  １３０…ソーラーパネル、  １３２…電源回路、  １３４…電池、  １５０…時刻用メモリ、  １５２…主表示領域、  １５４…文字板、  １５６…時計ケース、  １５８…ガラス、  １６０…ムーブメント、  ２００…端末装置、  ２１０…通信部、  ２２０…記憶部、  ２２２…プログラム、  ２２４…アプリ、  ２３０…情報処理部、  ２３２…処理部、  ２３４…作成部、  ２４０…操作部、  ２５０…バスライン、  ２６０…表示部、  ２７０…近距離無線通信部、  ３００…時刻サーバ
【図１】
2019086329.tif 000003
【図２】
2019086329.tif 000004
【図３】
2019086329.tif 000005
【図４】
2019086329.tif 000006
【図５】
2019086329.tif 000007
【図６】
2019086329.tif 000008
【図７】
2019086329.tif 000009
【図８】
2019086329.tif 000010
【図９】
2019086329.tif 000011
【図１０】
2019086329.tif 000012
【図１１】
2019086329.tif 000013
【図１２】
2019086329.tif 000014
【図１３】
2019086329.tif 000015
【図１４】
2019086329.tif 000016
【図１５】
2019086329.tif 000017
【図１６】
2019086329.tif 000018